(57)【要約】【課題】  小型レジャーシートを連結して用途を広げ、大人数で使用ができ、咄嗟の用にも供することができるようにし、また、大型レジャーシートを、大型同士またはこれと小型レジャーシートを適宜連結して、地形に合わせて敷くことができるようにする。【解決手段】  通常長方形状に形成されてなるレジャーシートの長辺およびまたは短辺夫々の辺縁上の対称位置に、該レジャーシートの複数枚を連結するための連結具を複数個取着してなり、前記連結具が、相互に対をなす凹凸両形状が嵌着するスナップ釦等の留め具、相互に対をなすけば面とかぎ面が接着する接着テープ、またはボタン孔とボタンで対をなす掛け釦であって、対向する辺の縁に同一機能の連結具が、辺に対し逆向きに取着してなる。【選択図】        図１ 
2005205059.tif 000002
【特許請求の範囲】
【請求項１】
休憩等のため人が野外で地面に敷いて用いるもので、通常長方形状に成形されてなる合成樹脂（以下、プラスチックという）製の敷物（以下、レジャーシートという）において、該レジャーシートの長辺およびまたは短辺夫々の辺縁上の対称位置に、該レジャーシートの複数枚を連設するための連結具を複数個取着してなることを特徴とする連結具付きのレジャーシート。
【請求項２】
前記連結具が、相互に対をなす凹凸両形状が嵌着する留め具、相互に対をなすけば面とかぎ面が接着する接着テープ、およびボタン穴とボタンで対をなす掛け釦の群から選ばれた一の連結具である請求項１記載のレジャーシート。
【請求項３】
前記連結具が、前記レジャーシートの長辺およびまたは短辺夫々の辺縁上の対称位置に取着されるときに、夫々の対向辺上対称位置に取着される前記連結具が、相互に対をなしかつ各辺には同一機能を備える対の一方の連結具が配置されるように形成されてなる請求項１または２記載のレジャーシート。
【請求項４】
前記留め具が、一対のバネ孔とゲンコにより凹凸両形状を形成するスナップ釦である請求項１、２または３記載のレジャーシート。
【請求項５】
前記留め具が、一対の凹型の下ドットと凸型の上ドットにより凹凸両形状を形成するドット釦である請求項１、２または３記載のレジャーシート。
【請求項６】
前記留め具が、通常絵柄印刷のある面をレジャーシートの表面としたとき、凹形状を有する留め具を該レジャーシートの裏面側に、そして凸形状を有する留め具を該レジャーシートの表面側に取着してなる請求項１、２、３、４または５記載のレジャーシート。
【発明の詳細な説明】
【技術分野】
【０００１】
本発明は、連結具付きのレジャーシート、詳しくは、要すれば複数枚のレジャーシートを連設できるように連結具を取着してなるレジャーシートに関するものである。
【背景技術】
【０００２】
従来、海、山、運動会、遠足、プールサイド、ドライブ、花見、キャンピング等のアウトドアの運動、行楽、イベントその他の行事にはレジャーシートを持参し、昼食や休憩の時にその上に座して食事や休憩をとり、またその上に荷物を置いたりすることが多い。土の上に人が直接腰を下ろして座ると、地表面から水蒸気が上がり、その冷気により腰から下腹部が冷やされて衛生上望ましくなく、また荷物を一箇所にまとめられるので荷物管理上便利である。
【０００３】
一般に、花見や海水浴等で使われるのは大型のレジャーシートで、大人数で使われる。レジャーシートに関わる新技術の提案は、今まで、このような大型のものに関し、レジャーシート自体に一定の機能を付加したりするものが殆どである。例えば、特許文献１は、防滑性を備えた樹脂層を保護フイルム接着ベース基材に積層させて、各種イベント時に人が滑って転ばないようにしたものである。特許文献２は、通常長方形状のレジャーシートを二つ折りにし、折り目以外の三周の縁部にチャックを取着して、これらの縁部をチャックで閉めることにより袋状に形成し、荷物の保管と運搬の便および盗難防止を図った。特許文献３は、空気枕を取着したレジャーシートに関し、そして特許文献４は、収納袋が使用時レジャーシートから離脱して紛失しないように工夫したものである。
【０００４】
上記先行技術は、大人数の使用に供する大型のレジャーシートに関するものであるのに対し、小型の個人携行用レジャーシートがあり、登山やハイキングに携行、使用されている。一定時間歩行後に休憩が必要であり、その時に木の根株等に座って済ますこともあるが、中には獣毛尻当を腰に下げ、その上に即腰を下ろして休む人もいる。しかし軽いハイキングに獣毛尻当は大げさなため、次第に廃り、最近は専らプラスチック製シートが個人用レジャーシートとして多用されるようになった。
【０００５】
個人用のレジャーシートとしては、６０×９０ｃｍ程度のものから１畳位の面積のものが市販されている。この位なら畳んで携行するにも軽量で負担にならず、面積も充分である。しかし、急病人が出て地上に横臥させ、多人数が座して話し合い等をするとき、もしくは緊急用テントであるツェルトを持たずに野営を強制された時のツェルト代用として、小面積の個人用小型レジャーシートを相互に連結して大きくすることができれば便利である。また、大型のレジャーシートの場合、これを敷く土地の平面形状に合わないときがあり、これに対し複数枚を連設するか、あるいは小型レジャーシートをこれに連設して大小取り混ぜて連設することができれば、土地の平面形状に合った平面形状に連設することができるので、使用の自由度が増す。
【０００６】
かかる事情を勘案し、レジャーシートの用途を拡大して利用価値を高める改善策として、個人用小型レジャーシートを、要すればこれを複数枚連結して面積を広げることによって用途を拡大させ、また、大大、大小組み合わせて連結することにより、その土地の地形形状に合わせた形状の敷物を即時展開可能にして、使用の自由度の増加を図ったのが本発明の連結具付きのレジャーシートである。
【特許文献１】特開平  １０−１７９３６８
【特許文献２】特開平  １０−２３４５５５
【特許文献３】特開平  ０９−０１００３５
【特許文献４】特開平  ０８−３１８９５６
【発明の開示】
【発明が解決しようとする課題】
【０００７】
解決しようとする問題点は、小型のレジャーシートが主として個人用に限定されるのに対し、これらを連結することにより用途を広げ、大人数での使用が可能になるほか、咄嗟の用にも供することができるようにする。また、大型レジャーシートにあっては、大型同士またはこれと小型レジャーシートとの適宜な連結により、大型レジャーシート単体では地形形状に合わせて敷くことができない欠点を除去することである。
【課題を解決するための手段】
【０００８】
請求項１に係る発明は、休憩等のため人が野外で地面に敷いて用いる、通常長方形状に形成されてなるレジャーシートにおいて、該レジャーシートの長辺およびまたは短辺夫々の辺縁上の対称位置に、該レジャーシートの複数枚を連結するための連結具を複数個取着してなる連結具付きのレジャーシートであることを要旨とする。
【０００９】
請求項２に係る発明は、前記連結具が、相互に対をなす凹凸両形状が嵌着する留め具、相互に対をなすけば面とかぎ面が接着する接着テープ、およびボタン孔とボタンで対をなす掛け釦の群から選ばれた一の連結具である請求項１記載のレジャーシートであることを要旨とする。
【００１０】
請求項３に係る発明は、前記連結具が、前記レジャーシートの長辺およびまたは短辺夫々の辺縁上の対称位置に取着されるときに、夫々の対向辺上対称位置に取着される前記連結具が、相互に対をなしかつ各辺には同一機能を備える対の一方の連結具が配置されるように形成されてなる請求項１または２記載のレジャーシートであることを要旨とする。
【００１１】
請求項４に係る発明は、前記留め具が、一対のバネ孔とゲンコにより凹凸両形状を形成するスナップ釦である請求項１、２または３記載のレジャーシートであることを要旨とする。
【００１２】
請求項５に係る発明は、前記留め具が、一対の凹型の下ドットと凸型の上ドットにより凹凸両形状を形成するドット釦である請求項１、２または３記載のレジャーシートであることを要旨とする。
【００１３】
請求項６に係る発明は、前記留め具が、通常絵柄印刷のある面をレジャーシートの表面としたとき、凹形状を有する留め具を該レジャーシートの裏面側に、そして凸形状を有する留め具を該レジャーシートの表面側に取着してなる請求項１、２、３、４または５記載のレジャーシートであることを要旨とする。
【発明の効果】
【００１４】
本発明のレジャーシートは、個人用小型のレジャーシートの複数枚を連設して大人数使用を可能とするほか、急病人横臥や多人数による話し合い、ツェルト代用等咄嗟の用にも供することができ、また、大型同士の、または大型と小型のレジャーシートを適宜連接することにより、大型レジャーシート単体ではぴたり対応できない地形形状に合わせて敷くことができて使い勝手がよくなり、使用範囲を広げることができる。
【発明を実施するための最良の形態】
【００１５】
この発明のレジャーシートを具体化した最良の実施の形態について、以下図面を用いて説明する。
【実施例１】
【００１６】
図１は、本発明の実施例１のスナップ釦付のレジャーシート１の平面図である。採用したレジャーシート１は、長方形ABCDの平面形状で、１畳用約９０×１７０ｃｍの面積を有し、材質はポリエチレン１００％の積層シートである。長辺AB、DCから内側に夫々３ｃｍ離れた線上に約４０ｃｍの等間隔で片側に５点、両側で１０点をとり、かつ夫々の両端の４点から短辺AD、BCまで夫々約５cmをとり、これらの片側５点、両側１０点を連結具の取着点とした。その結果、長方形ABCDの長辺AB上５点の取着点と、長辺DC上５点の取着点とは長手方向中心線(図示せず)に対して対称となる。プラスチック製のレジャーシート１に最適な連結具はスナップ釦なので、これを例にとり、以下述べる。図１が描かれた紙面をレジャーシート１の表面としたとき、長辺CD側の５点には、スナップ釦の一方の対である凹形状を備えるバネ孔が、レジャーシート１の裏面（図１が描かれた紙面の裏側）にくるように取着する。反対に、長辺AB側の５点には、スナップ釦の一方の対である凸形状を備えるゲンコが、レジャーシート１の表面（図１が描かれている紙面）にくるように取着する。スナップ釦の一方の対である凹形状と、他方の対である凸形状がレジャーシート１の反対の面に配置されないと、連結した後の面が揃わない。上記とは凹凸形状を逆に配置しても構わないが、上からバネ孔をゲンコに押し込むほうが、作業はしやすい。図１には、長辺CD側の５点にスナップ釦の釦４が、そして長辺AB側の５点にはゲンコ３が看取される。
【００１７】
図２は、スナップ釦をレジャーシート１に取着する状況を示す模式図である。真鍮製スナップ釦は、釦４、バネ孔２、ゲンコ３、およびホソ５からなり、釦４およびホソ５の裏側にはツメ６が突設され、そしてバネ孔２とゲンコ３の裏側周縁にはカール部７が周設されている。レジャーシート１の長辺DCに沿って釦４を取着するには、５個の取着点の位置決めをして印しを付け、釦４の裏面に夫々５本突設されたツメ６が形成する円の中心をこの印しに合わせて圧着すれば、ツメ６は正確な位置でレジャーシート１を貫いて突出する。そこで、バネ孔２の裏側をツメ６に正確に当て力を加えると、ツメ６は、ゲンコ３の裏側周縁に周設されたカール部７に圧着され、釦４とバネ孔２はレジャーシート１に挟着されて一体化し、スナップ釦の対の一方をなす凹形状を形成する。同じ要領で、レジャーシート１の長辺ABに沿ってゲンコ３とホソ５を取着することができる。ホソ５のツメ６の中心を取着点に合わせ、ツメ６をレジャーシート１に突き通し、ツメ６の先端をホソ５の裏面に形成されたカール部７に挿入圧着され、ツメ６はホソ５によりレジャーシート１に挟着されて一体化し、スナップ釦の対の他方をなす凸形状を形成する。
【００１８】
レジャーシート１の複数枚を連設するには、それらの表面を上にして並べ、片方のレジャーシート１をずらし、長辺ABの裏側のバネ孔２が、他方のレジャーシート１の長辺DCの表面のゲンコ３と重なるようにし、バネ孔２とゲンコ３が嵌着するようにする。同じ動作を繰り返すことにより、レジャーシート１を長辺方向に広げることができる。
【００１９】
なお、スナップ釦と同じく２枚のシートを嵌着機構により連結するものに、凹型の下ドットと凸型の上ドットにより凹凸両形状を形成するドット釦（図示省略）がある。そのため、スナップ釦は一名ドット釦と言われることがある。スナップ釦が真鍮製でツメ６を備え、レジャーシート１を挟みツメ６をカール部７に挿入圧着して凹凸両形状を形成し、これら凹凸両形状が嵌着するのに対し、スナップ釦はプラスチック製で、直径が若干異なる大小２個の環状部材を揃え、大環の上ドットを小環の下ドットに嵌着することにより連結する。取着容易な特徴がある。
【００２０】
図３は、接着テープのかぎ面８とけば面９をレジャーシート１に取着する状況を示す模式図、そして図４は、掛け釦のボタン穴１１とボタン１０をレジャーシート１に形成し、取着する状況を示す模式図である。かぎ面８とけば面９は、特別な力が継続的に掛かる訳ではないのでエポキシ系などの一般的な樹脂でレジャーシート１に接着して取着する。取着の要領は、上述のスナップ釦の場合と同じである。掛け釦の場合は、レジャーシート１の延性のため、ボタン孔１１が伸びるとボタンが抜けたり、掛からなかったりする恐れがあるので、伸びない材質の薄布１３で裏打ちをし、ボタン穴１１の周囲をかがる必要がある。また、ボタン１０のレジャーシート１への取着点も、同じく裏打ちの要がある
【００２１】
図５は本発明の実施例２、図６はその実施例３、そして図７はその実施例４、夫々のスナップ釦付きのレジャーシート１の平面図である。実施例５ないし７は、実施例１と同規格のレジャーシート１を用い、連結具も同じスナップ釦を用いて、スナップ釦のゲンコ３と釦部４の配置を変化させたものである。実施例２は取着点を５から９に増やし、間隔２０ｃｍの等間隔にし、シート間の連結を密にした。実施例３は、短辺ADに釦部４を、短辺BCにゲンコ３を夫々５個２０cmの等間隔で配置した。これにより、短辺方向への連結が可能となる。さらに、実施例４は、ゲンコ３を長辺ABに７個と短辺BCに３個を２０ｃｍの等間隔で、そして釦部４を長辺CD に７個と短辺DAに３個を２０ｃｍの等間隔で、夫々は位置すると共に四隅のA、B、C、Dの４地点は空白で残した。この隅部はゲンコ３と釦部４との嵌着ができないから、自由状態にして、辺上の取着点を増やした。これにより、長短両辺方向への２次元的連結が可能となる。
【産業上の利用可能性】
【００２２】
本発明のレジャーシート１は、アウトドア、海、山、イベント等の行事にとって個人、団体の別なく便利で、有用性が高いので、その需要は継続的にあり、プラスチック産業等を下支えする基盤となる。
【図面の簡単な説明】
【００２３】
【図１】本発明の実施例１であるスナップ釦付きのレジャーシート１の平面図である。
【図２】スナップ釦をレジャーシート１に取着する状況を示す模式図である。
【図３】接着テープのかぎ面８とけば面９をレジャーシート１に取着する状況を示す模式図である。
【図４】掛け釦のボタン孔１１をレジャーシート１に開設し、そしてボタン１０をそれに取着する状況を示す模式図である。
【図５】本発明の実施例２であるスナップ釦付きのレジャーシート１の平面図である。
【図６】本発明の実施例３であるスナップ釦付きのレジャーシート１の平面図である。
【図７】本発明の実施例４であるスナップ釦付きのレジャーシート１の平面図である。
【符号の説明】
【００２４】
１    レジャーシート（長方形ABCD）
２    バネ孔
３    ゲンコ
４    スナップ釦の釦部
５    ホソ
６    ツメ
７    カール部
８    かぎ面
９    けば面
１０  ボタン
１１  ボタン孔
１２  孔かがり
１３  薄布の裏打ち
F     圧着力
【図１】
2005205059.tif 000003
【図２】
2005205059.tif 000004
【図３】
2005205059.tif 000005
【図４】
2005205059.tif 000006
【図５】
2005205059.tif 000007
【図６】
2005205059.tif 000008
【図７】
2005205059.tif 000009